(57)【要約】  長手方向の軸線に沿って延びる把持部分１４と、頂部２０とを有するハンドル１２を備える剃毛かみそり１０。カートリッジ３０はハンドルに装着され、刃先４２を有する少なくとも１枚の刃４０を備える剃毛面３２と、対向面３４とを有する。カートリッジは、ハンドルに対して前方旋回位置及び後方旋回位置を有する。係合位置と係合解除位置との間でカートリッジに向かう方向及びカートリッジから離れる方向に摺動する押し部材５２を有するハンドルの頂部上に位置付けられる旋回ロック機構５０。係合位置にある押し部材は、カートリッジの対向面に直接的に接触し、カートリッジを前方位置に押し、カートリッジがハンドルに対して旋回することを妨げる。係合解除位置にある押し部材は、前方位置にあるカートリッジの対向面から離間し、カートリッジがハンドルに対して旋回することを可能にする。
2017519572.tif 000002
【特許請求の範囲】
【請求項１】
剃毛かみそり（１０）であって、
長手方向の軸線（Ａ１）に沿って延びる把持部分（１４）及び頂部（２０）を有するハンドル（１２）と、
前記ハンドルに装着されたカートリッジ（３０）であって、前記カートリッジが刃先（４２）を有する少なくとも１枚の刃（４０）を備える剃毛面（３２）と、対向面（３４）とを有し、前記カートリッジが前記ハンドルに対して前方旋回位置及び後方旋回位置を有する、カートリッジ（３０）と、
前記ハンドルの前記頂部上に位置付けられる旋回ロック機構（５０）であって、前記旋回ロック機構が、係合位置と係合解除位置との間で前記カートリッジに向かう方向及び前記カートリッジから離れる方向に摺動する押し部材（５２）を有し、前記係合位置にある前記押し部材が前記カートリッジの前記対向面と直接的に接触し、前記カートリッジを前方位置に押し、前記カートリッジが前記ハンドルに対して旋回することを妨げ、前記係合解除位置にある前記押し部材が前記前方位置にある前記カートリッジの前記対向面から離間し、前記カートリッジが前記ハンドルに対して旋回することを可能にする、旋回ロック機構と、を備える、剃毛かみそり（１０）。
【請求項２】
前記押し部材が、前記係合解除位置で付勢される、請求項１に記載の剃毛かみそり。
【請求項３】
前記係合解除位置にある前記押し部材が、前記後方旋回位置にある前記カートリッジの前記対向面と接触し、前記ハンドルに対する前記カートリッジの旋回を部分的に限定する、請求項１又は２に記載の剃毛かみそり。
【請求項４】
前記係合解除位置にある前記押し部材が、前記後方旋回位置にある前記カートリッジの前記対向面から離間している、請求項１又は２に記載の剃毛かみそり。
【請求項５】
前記旋回ロック機構が、前記押し部材を前記係合位置にロックするラッチ（５８）を備える、請求項１〜４のいずれか一項に記載の剃毛かみそり。
【請求項６】
前記ラッチが前記押し部材に対して旋回する、請求項５に記載の剃毛かみそり。
【請求項７】
前記旋回ロック機構が前記頂部に結合したベース部材（７０）を備え、前記押し部材が前記ベースと摺動係合する、請求項５又は６に記載の剃毛かみそり。
【請求項８】
前記ベースが、前記押し部材上の対応する面（８４、８６）と係合する少なくとも１つの摺動面（８０、８２）を有する、請求項７に記載の剃毛かみそり。
【請求項９】
付勢部材（９０）及び前記ラッチの下部（９８）が、前記ベースのスロット内に位置付けられる、請求項７又は８に記載の剃毛かみそり。
【請求項１０】
前記ラッチが、前記係合解除位置で前記ベース部材上の第１の停止面（１１０）と、また前記係合位置で前記ベース部材上の第２の停止面（１１２）と係合するアンダーカット（１０４）を有する、請求項７、８、又は９のいずれか一項に記載の剃毛かみそり。
【請求項１１】
前記ラッチが、前記ラッチが旋回することを容易にして、前記ラッチを前記ベース部材から解放し、前記押し部材が前記係合解除位置に摺動することを可能にする、前記ラッチの本体（９６）から延びる上部１００を有する、請求項５〜１０のいずれか一項に記載の剃毛かみそり。
【請求項１２】
前記押し部材が、使用者の親指又は指により及ぼされる力を受容するための、前記ハンドルの前記頂部に対して概して横方向である遠位端面（５６）を有する、請求項１〜１１のいずれか一項に記載の剃毛かみそり。
【請求項１３】
前記遠位端面が、前記押し部材の近位端面（５７）より大きい幅を有し、前記係合位置では前記近位端面が前記前方旋回位置にある前記カートリッジの前記対向面と接触する、請求項１２に記載の剃毛かみそり。
【請求項１４】
前記カートリッジが、前記把持部分の前記長手方向の軸線に対して概して横方向であり、かつ前記刃先に対して概して平行である軸線（Ａ２）の周囲を旋回する、請求項１〜１３のいずれか一項に記載の剃毛かみそり。
【請求項１５】
前記押し部材から離間しており、かつ前記カートリッジの前記対向面と接触して前記カートリッジを前記前方位置に付勢する、カートリッジ付勢部材（２２）を更に備える、請求項１〜１４のいずれか一項に記載の剃毛かみそり。
【発明の詳細な説明】
【技術分野】
【０００１】
本発明は、湿式剃毛安全かみそり、より具体的にはハンドルに対して旋回するカートリッジを備える湿式剃毛安全かみそりに関する。
【背景技術】
【０００２】
概して、安全かみそりのカートリッジ又は刃ユニットは、カートリッジが取り付けられたハンドルを用いて、剃毛される皮膚の表面にわたって移動される切断用刃先を有する少なくとも１つの刃を有する。一部の剃毛かみそりには、ハンドルに対して旋回し、剃毛中に皮膚の輪郭に沿って移動する、ばね付勢されたカートリッジが備えられている。カートリッジは、刃の鋭利さが低減したときにカートリッジを新しいカートリッジに交換することができるように、ハンドルに着脱可能に装着されてもよく、又は刃が鈍くなったとき、かみそり全体を廃棄するように、ハンドルに恒久的に取り付けられてもよい。かみそりのカートリッジは、通常、刃の前にある皮膚と接触するガードと、剃毛中に刃の背後にある皮膚と接触するキャップとを含む。キャップ及びガードは、剃毛中の皮膚に対する刃の向き及び位置を決定するパラメータであるいわゆる「剃毛ジオメトリ」を確立しやすくし、このパラメータは、かみそりの剃毛性能及び効率に強く影響する。キャップは、抵抗を低減し、快適さを高める、水滲出性の剃毛補助剤を含んでもよい。ガードは概して剛性であってもよく、例えば、刃に支持を提供するフレーム又はプラットフォーム構造と一体的に形成される。ガードはまた、より軟質のエラストマー材を含んで、皮膚の伸張を向上させてもよい。
【０００３】
実現される剃毛の近接さを向上させると同時に、快適なシェービング体験までも提供することを目的として、湿式剃毛用かみそりは長年にわたり、多数の刃を含むように進化してきた。剃毛かみそりの刃の数を増やすと、一般にかみそりの剃毛効率が向上し、皮膚に対する圧縮力をより良く分散させる傾向にあるが、もみあげ又は鼻近辺などのトリミング能力を低下させる場合もある。トリミング能力を改善するために、かみそりカートリッジの後部に装着された余分の刃がトリミング能力を改善するために提供されてきた。多くのマーケティング努力にもかかわらず、典型的な消費者は、余分の刃がトリミングのために提供されていることに気付かない。また、口ひげ若しくはもみあげをトリミングするため、又は鼻の周囲を剃毛するために、旋回ロック機構を有するかみそりカートリッジも提供されている。しかしながら、これらの装置もまた消費者にとって、使用が明白又は直感的なものではない。更に、これらの機構は、それらがカートリッジの付勢部材をロックすることによりカートリッジの旋回をロックする、及び／又はこれらの機構がトリミングのために旋回をロックするために、使用者の手を自然な位置から動かすことになるので、限定的である。
【発明の概要】
【発明が解決しようとする課題】
【０００４】
したがって、消費者が気付き、利用が明白かつ直感的である旋回ロック機構を有する、安全剃毛かみそりに対する必要性がある。また、カートリッジ付勢部材とは独立して機能する、剃毛かみそりのための旋回ロック機構も必要とされている。
【課題を解決するための手段】
【０００５】
一態様において、本発明は概して、長手方向の軸線に沿って延びる把持部分と、頂部とを有するハンドルを備える剃毛かみそりを特徴とする。カートリッジはハンドルに装着され、刃先を有する少なくとも１枚の刃を備える剃毛面と、対向面とを有する。カートリッジは、ハンドルに対して前方旋回位置及び後方旋回位置を有する。係合位置と係合解除位置との間でカートリッジに向かう方向及びカートリッジから離れる方向に摺動する押し部材を有する、ハンドルの頂部上に位置付けられる旋回ロック機構。係合位置にある押し部材は、カートリッジの対向面に直接的に接触し、カートリッジを前方位置に押し、カートリッジがハンドルに対して旋回することを妨げる。係合解除位置にある押し部材は、前方位置にあるカートリッジの対向面から離間し、カートリッジがハンドルに対して旋回することを可能にする。
【０００６】
別の態様において、本発明は概して、近位端と、長手方向の軸線に沿って延びる把持部分と、近位端に向かう頂部とを有するハンドルを備える剃毛かみそりを特徴とする。係合位置と係合解除位置との間で近位端に向かう方向及びカートリッジから離れる方向に摺動する押し部材を有する、ハンドルの頂部上に位置付けられる旋回ロック機構。旋回ロック機構は、押し部材を係合位置にロックするラッチを含む。剃毛かみそりは任意に、押し部材に対して旋回するラッチを含んでもよい。また、剃毛かみそりは任意に、頂部に結合したベース部材を有する旋回ロック機構を含んでもよく、押し部材はベースと摺動係合する。剃毛かみそりは任意に、押し部材を係合解除位置に向かって付勢するベースのスロット内に位置付けられる付勢部材及びラッチの下部を含んでもよい。また、剃毛かみそりは任意に、ラッチがラッチの本体から延びる上部を有し、この上部が、ラッチが旋回することを容易にして、ラッチをベース部材から解放し、押し部材が係合解除位置まで摺動することを可能にすることを含んでもよい。
【図面の簡単な説明】
【０００７】
本発明の他の特徴及び利点、並びに本発明自体は、添付の図面と併せて読むときに、種々の実施形態の以下の説明から、より完全に理解することができる。
【図１Ａ】本発明の１つの可能な実施形態による、前方旋回位置にある剃毛かみそりの斜視図である。
【図１Ｂ】本発明の１つの可能な実施形態による、後方位置にある図１Ａの剃毛かみそりの斜視図である。
【図２】図１Ａの剃毛かみそりに組み込み可能なロック機構の組立図である。
【図３】図１Ａ及び１Ｂの剃毛かみそりの組立図である。
【図４】図１Ａの剃毛かみそりに組み込み可能なハンドルの平面図である。
【図５Ａ】概して線５Ａ−５Ａに沿って取った、係合位置にある図１Ａの剃毛かみそりの断面図である。
【図５Ｂ】概して線５Ｂ−５Ｂに沿って取った、図１Ａの剃毛かみそり係合解除位置の断面図である。
【発明を実施するための形態】
【０００８】
図１Ａ及び１Ｂを参照すると、旋回ロック機構５０を有する剃毛かみそり１０の斜視図が示されている。剃毛かみそり１０は、長手方向の軸線Ａ１に沿って延びる細長い把持部分１４を有するハンドル１２を含んでもよい。ハンドル１２は、ハンドル１２の遠位端１６と近位端１８との間に位置付けられる頂部２０を有してもよい。例えば、頂部２０は、ハンドル１２の近位端１８に向かって位置付けられてもよい。以下により詳細に説明するように、近位端部分１８は、ばね付勢プランジャなどのカートリッジ付勢部材２２（図示せず）を含んでもよい。しかしながら、可撓性のプラスチック及び金属のばね指などの他の機構もまた使用してもよいことを理解されたい。カートリッジ３０は、ハンドル１２に取り外し可能に又は恒久的に装着することができる。例えば、カートリッジ３０は、刃の鋭利さが低減したときにカートリッジを新しいカートリッジに交換することができるように、ハンドル１２に着脱可能に装着されてもよく、又は刃が鈍くなったとき、かみそり全体を廃棄する意図で、ハンドル１２に恒久的に取り付けられてもよい。カートリッジ３０は、剃毛面３２と対向面３４（例えば非剃毛面）とを有してもよい。剃毛面３２は、ガード３６、キャップ３８、及びガード３６とキャップ３８との間の刃先４２を有する少なくとも１枚の刃４０を含んでもよい。３枚の刃が示されているが、剃毛かみそり１０の所望のコスト及び性能に応じてこれよりも多いか又は少ない刃を使用することができる点は理解されよう。
【０００９】
カートリッジ３０は、軸線Ａ１に対して概して横方向であり、かつ刃先４２及び／又はカートリッジ３０の長手方向の軸線に対して平行である旋回軸Ａ２の周囲を旋回することができる。カートリッジ３０は、図１Ａで示される前方旋回位置、及び図１Ｂで示される後方旋回位置を有してもよい。前方旋回位置と後方旋回位置との間のカートリッジ３０の旋回運動は、刃先４２が剃毛ストローク、特により長い剃毛ストローク中、皮膚の表面の輪郭により良く沿って移動する助けとなり得る。カートリッジ付勢部材２２は、前方旋回位置に向かってカートリッジ３０を付勢し得る。例えば、カートリッジ３０に何の力も及ぼされていないとき、カートリッジ３０は前方旋回位置に付勢され得る。
【００１０】
鼻の周囲及びもみあげをトリミングするために使用されるストロークなどの、より短い剃毛ストロークには、カートリッジ３０を前方旋回位置にロックすることが望ましい場合がある。したがって、旋回ロック機構５０は、ハンドル１２の頂部２０上に位置付けられてもよい。以下により詳細に説明するように、旋回ロック機構５０は、係合位置及び係合解除位置を有する押し部材５２を含んでもよい。押し部材５２は、（例えばカートリッジ３０に向かって）前方に、及び（例えばハンドルの遠位端に向かって）後方に、摺動してもよい。押し部材５２は、使用者の親指又は指により及ぼされる力を受容するための、ハンドル１２の頂部２０及び／又は長手方向の軸線Ａ１に対して概して横方向である遠位端面５６を有してもよい。ある特定の実施形態では、遠位端面５６は実質的に平らであり得るので、使用者は押し部材５２を容易に前方に作動させることができる。係合解除位置にある押し部材５２は、前方位置にあるカートリッジ３０の対向面３４から離間していてもよい。したがって、カートリッジ３０は、係合解除位置で、旋回軸Ａ２の周囲を自由に（例えば約５°〜約４０°）旋回することができる。カートリッジが後方位置に旋回するとき、カートリッジ３０の旋回運動は、ハンドル１２上の停止面により又は押し部材５２により、係合解除位置に限定され得る。例えば、ある特定の実施形態では、係合解除位置にある押し部材５２は、後方位置にあるカートリッジ３０の対向面３４と接触し得るが、前方位置では接触しない。任意に、ハンドル１２は、カートリッジ３０の対向面３４と接触する面を提供して、押し部材５２が係合解除されているとき後方位置での旋回を限定してもよい。
【００１１】
また、押し部材５２は、係合位置と係合解除位置との間の中間位置を有してもよい。例えば、中間位置では、押し部材５２は、前方旋回位置にあるカートリッジ３０の対向面３４と離間し、後方旋回位置にあるカートリッジ３０の対向面と接触してもよい。したがって、使用者は、カートリッジが（例えば５〜４０°から５〜１５°まで）旋回軸Ａ２の周囲を旋回することができる範囲を手動で調節又は更に限定することが可能であってもよい。
【００１２】
図２を参照すると、旋回ロック機構５０の組立図が示されている。ロック機構５０は、押し部材５０と、ラッチ５８と、ベース部材７０とを含んでもよい。押し部材５２の遠位端面５６は、軸線Ａ１に対して横方向及び／又は軸線Ａ２に対して平行方向で測定される幅「Ｗ１」を有してもよく、この「Ｗ１」は、押し部材５２の近位端面５４の幅「Ｗ２」より大きい。近位端面５４は、係合位置の対向面と接触する押し部材の部分であってもよい。したがって、遠位端面５６の幅は、使用者が容易に作動できるように最大にしてもよく、近位端面５４の幅は、カートリッジ３０を妨害することを低減するために最小にしてもよい。例えば、大きな近位端面５４は、カートリッジ３０のすすぎに負の影響を与える場合がある。使用者は、遠位端面５６を押して、押し部材５２を係合位置へと前方へ摺動させることができる。以下により詳細に説明するように、押し部材５２は自動的に係合位置にロックされてもよく、あるいは使用者がトリミングのためにカートリッジ３０の旋回をロックするのに必要とされる所望の時間、押し部材５０を係合位置に単に保持してもよい。押し部材５２の前方−後方摺動運動、及び押し部材５２がハンドル１２の頂部２０上に位置付けられていることにより、カートリッジ３０の旋回運動のロックが容易になり、消費者が通常の剃毛位置から指又は手を移動させる必要がなくなり、したがって、剃毛ストロークとトリミングストロークとの間の人間工学を改善する。加えて、また、旋回ロック機構５０は、片手又は一本の指で操作することができる。以下により詳細に説明するように、押し部材５０は、一本の指又は親指の操作でロック及び解放することができる。
【００１３】
ベース部材７０は、付勢部材９０及びラッチ５８の一部を受容するためのスロット８８を画定してもよい。スロット８８は、上面９２ベース部材７０上に位置付けられてもよい。ベース部材７０は、ラッチ５８の一部と係合するための第１の停止面１１０（例えば突出部１０６の前面）を有する（例えば上面９２上の）突出部１０６を有してもよい。また、ベース部材７０は、ラッチの一部と係合するための第２の停止面１１２を有してもよい。上面９２は、ベース部材７０を通って延びる一対の開孔７６及び７８を画定してもよい。開孔７６及び７８の各々は、それぞれの締結具７２及び７４を受容してもよい。図３は、ハンドル１２に固定されたベース部材７０を図示する。ベース部材７０は、ハンドル１２の頂部２０に堅く固定されてもよい。例えば、ねじ又はピンなどの一対の締結具７２及び７４を、ベース部材により画定される対応する開口部７６及び７８に挿入してもよい。締結具７２及び７４は、頂部２０と係合して、ベース部材７０をハンドル１２に固定してもよい。例えば、ハンドル１２は、締結具７２及び７４を受容する頂部２０の対応する開口部２４及び２６（図４に示される）を有してもよい。ベース部材７０はハンドル１２に組み立てられることが図示されているが、ハンドル１２の部分としてベース部材７０を製造することもまた可能である。ハンドル１２の頂部２０上のロック機構５０の位置（例えば、カートリッジ３０の剃毛面３２の反対のハンドル１２の上面）は、ロック機構が、既存の使用者ハンドルに容易に取り付けられるか、又はハンドルの最小限の再設計で既存のハンドルに容易に組み込まれることを可能にする。
【００１４】
図２及び３を参照すると、ラッチ５８はベース部材７０と摺動係合することができる。例えば、ラッチ５８は、ベース部材７０のスロット８８内に摺動係合する下部９８を備える本体９６を有してもよい。下部９８は、ラッチ５８及び押し部材５２が、前方位置と後方位置との間で摺動することを容易にすることができる。また、スロット８８は、ばねなどの付勢部材９０を受容してもよい。また、下部９８は、スロット８８内に位置する付勢部材９０と係合してもよい。したがって、付勢部材９０は、ラッチ５８を、カートリッジ３０から離れる方向の後方位置に押すことができる。
【００１５】
図３で最もよく示されるように、ベース部材７０は、押し部材５２の対応する一対の摺動面８４及び８６と係合する１つ以上の摺動面８０及び８２を有してもよい。押し部材５２がラッチ５８の上に位置付けられるように、ベース部材７０の摺動面８０及び８２は、押し部材５２上の対応する摺動面８４及び８６と係合してもよい。ベース部材７０の摺動面８０及び８２は一対の対向する溝であってもよく、押し部材５２上の対応する摺動面８４及び８６は一対のレールであってもよい。したがって、ベース部材７０の摺動面８０及び８２、並びに押し部材５２上の対応する摺動面８４及び８６は、ベース部材７０を押し部材５２に固定し、かつベース部材７０に対する押し部材５２（及びラッチ５８）の動きを前方−後方摺動運動に限定することができる。ピン６０は、押し部材５２の開口部６２及びラッチ５８の開口部６４を通過して、ラッチ５８を押し部材５２に枢動可能に結合することができる。したがって、ラッチ５８は押し部材５２及び／又はベース部材７０に対して旋回することができるが、ラッチ５８及び押し部材５２はまた、単一の単位として前方−後方方向にともに摺動することもできる。以下により詳細に説明するように、旋回部材５２及びラッチ５８の摺動は、押し部材５２がカートリッジ３０と係合し、その旋回をロックすることを容易にすることができる。ラッチ５８の旋回は、ベース部材７０からのラッチ５８の解放を容易にすることができる。
【００１６】
ラッチ５８の本体９６は、下部９８とは反対方向に本体９６から延びる上部１００を有してもよい。上部１００は、押し部材５２の遠位端面５６上に位置するスロット１１４内に位置付けられてもよい。また、上部１００は、押し部材５２の上面１１６の上に延在して、使用者がラッチ５８を容易に作動させる（例えばベース部材７０に対してラッチ５８を旋回する）ことを可能にしてもよい。ある特定の実施形態では、本体９６の近位端部分１０２は、ベース部材７０上の１つ以上の対応する面と係合するアンダーカット１０４（例えばフック）を有してもよい。例えば、対応する面は、第１の停止面１１０（例えば突出部１０６の前面）及び／又は第２の停止面１１２（例えばベース部材７０の出っ張り）を含んでもよい。
【００１７】
図５Ａ及び５Ｂを参照すると、ロック機構５０を取り付けられた剃毛かみそり１０が、前方位置にあるカートリッジ３０と共に示されている。カートリッジ付勢部材２２は、カートリッジ３０（例えば対向面３４）を押して、カートリッジ３０を前方旋回位置に向かって付勢してもよい。例えば、カートリッジ３０に何も力を及ぼしていない場合、カートリッジ３０は前方旋回位置に付勢されてもよい。しかしながら、剃毛ストローク中、付勢部材の力は制圧され、カートリッジ３０は前方位置と後方位置との間で自由に旋回することができる（図５Ｂで示される）。前方旋回位置と後方旋回位置との間のカートリッジ３０の旋回運動は、刃先４２が剃毛ストローク、特により長い剃毛ストローク中、皮膚の表面の輪郭により良く沿って移動する助けとなり得る。消費者が剃毛かみそり１０をトリミングのために使用したい場合、図５Ａで示されるように、押し部材５２の近位端５４がカートリッジ３０の対向面３４と接触してカートリッジ３０を前方位置（すなわち、係合位置）に維持するように、遠位端面５６を押すことにより押し部材５２を前方に付勢してもよい。押し部材５２が前方に摺動するとき、アンダーカット１０４はベース部材７０の上面９２に対して摺動してもよい。ピン６０は、ラッチ５８が（押し部材５２及びベース部材７０に対して）旋回することを容易にして、第２の停止面１１２と係合し、押し部材５２及びラッチ５８を係合位置にロックすることができる。したがって、カートリッジ３０は、後方方向で旋回又は振動することを妨げられて、より制御された正確なトリミングストロークが可能となる。
【００１８】
トリミング後、使用者は、剃毛かみそり１０が剃毛ストロークに使用され得るように、カートリッジ３０を旋回させたい場合がある。したがって、使用者は、ラッチ５８の上部１００を後方方向に（例えばカートリッジ３０から離れる方向に）作動又は移動させて、ラッチ５８をベース部材７０に対して旋回させてもよい。上部１００は、ラッチ５８が旋回して、第２の停止面１１２からアンダーカット１０４を解放することを容易にすることができる。解放されると、ラッチ５８及び押し部材５２は、係合解除位置まで摺動してもよい。（図５Ｂで示されるように）アンダーカット１０４は、突出部１０６上の第１の停止面１１０と係合してもよい。第１の停止面１１０及び第２の停止１１２は、ラッチ５８のアンダーカット１０４との係合を改善するために、上面９２に対して横方向であってもよい。図５Ｂで示されるように、係合解除位置にある押し部材５２は、前方位置にあるカートリッジ３０の対向面３４から離間し、カートリッジがハンドルに対して旋回することを可能にする。カートリッジ３０が後方旋回位置まで移動する場合、対向面３４は押し部材５２と接触して、カートリッジ３０の旋回範囲を限定する場合がある。あるいは、押し部材５２が係合解除されている場合にカートリッジ３０を旋回することを限定するための、別々の停止面を提供してもよい。
【００１９】
付勢部材９０は、ラッチ５８を（例えばカートリッジ３０から離れる）後方方向に付勢してもよい。したがって、通常の剃毛条件下では、ラッチ部材はベース部材７０から係合解除されたままであり、カートリッジ３０が旋回することを可能にする。加えて、アンダーカット１０４が第２の停止面１１２から解放されると、付勢部材９０は自動的にラッチを後方方向に付勢するので、使用者は単一の運動（すなわちラッチ５８を旋回すること）のみが必要であり、ラッチ５８を後方方向に押す必要はない。したがって、押し部材５２は、一本の指又は親指の単一の運動で解放することができ、消費者がかみそりの握りを変えることを必要としない。ある特定の実施形態では、上部１００は、押し部材５２とは異なる色（例えば対比色）であってもよい。したがって、ラッチ５８を解放するために上部１００を作動することは、使用者にとってより直感的である。
【００２０】
ロック機構５０（例えば押し部材５２）は、カートリッジ付勢部材２２から離間している。したがって、ロック機構５０は、どんな種類のかみそりハンドルにも容易に付加することができ、カートリッジ付勢部材２２によりもたらされる旋回力に影響しない。例えば、ロック機構５０は、消費者が既存のハンドルに取り付けるための、市販後製品として提供することさえできる。
【００２１】
本明細書において開示されている寸法及び値は、列挙されている正確な数値に厳密に限定されるものと理解すべきではない。むしろ、特に断らない限り、そのような各寸法は、記載された値及びその値の周辺の機能的に同等の範囲の両方を意味するものとする。例えば、「４０ｍｍ」として開示される寸法は、「約４０ｍｍ」を意味することを意図する。
【図１Ａ】
2017519572.tif 000003
【図１Ｂ】
2017519572.tif 000004
【図２】
2017519572.tif 000005
【図３】
2017519572.tif 000006
【図４】
2017519572.tif 000007
【図５Ａ】
2017519572.tif 000008
【図５Ｂ】
2017519572.tif 000009
【国際調査報告】
2017519572.tif 000010
2017519572.tif 000011